【手続補正書】
【提出日】平成20年9月9日(2008.9.9)
【手続補正１】
【補正対象書類名】明細書
【補正対象項目名】特許請求の範囲
【補正方法】変更
【補正の内容】
【特許請求の範囲】
【請求項１】  第一の液体を含む第一の流れを加速し；該第一の流れを振動させて、粒子を形成することを含み；
該粒子が大きくとも１００μｍの平均径である、粒子の形成方法。
【請求項２】  粒子を固化させることを更に含む、請求項１に記載の方法。
【請求項３】  粒子がコア部とシェル部を有する、請求項１に記載の方法。
【請求項４】  粒子が複数のシェル部を有する、請求項３に記載の方法。
【請求項５】  粒子が医薬組成物を含有する、請求項１に記載の方法。
【請求項６】  コア部が医薬組成物を含有する、請求項３に記載の方法。
【請求項７】  加速が、第一の流れを第二の流れに接触させることを含み、第二の流れが第二の液体を含む、請求項１に記載の方法。
【請求項８】  第二の流れが第一の流れを囲撓する、請求項７に記載の方法。
【請求項９】  加速が第一の流れに電荷を印加することを含む、請求項１に記載の方法。
【請求項１０】  第二の流れが第一の流れを囲撓する第二の液体を含み、加速が第二の流れを加速することを更に含む、請求項９に記載の方法。
【請求項１１】  粒子がコア部とシェル部を有する、請求項１０に記載の方法。
【請求項１２】  粒子が複数のシェル部を有する、請求項１１に記載の方法。
【請求項１３】  第一の液体をノズルを通過させることによって第一の流れを形成することを更に含む、請求項１に記載の方法。
【請求項１４】  ノズルが粒子の平均径の１／２よりも大なる径を有している、請求項１３に記載の方法。
【請求項１５】  ノズルが少なくとも粒子の平均径を有している、請求項１４に記載の方法。
【請求項１６】  粒子が大きくとも５０μｍの平均径である、請求項１に記載の方法。
【請求項１７】  粒子が１０ｎｍから５０μｍの平均径を有している、請求項１６に記載の方法。
【請求項１８】  粒子が１μｍから５０μｍの平均径を有している、請求項１６に記載の方法。
【請求項１９】  粒子が５０から１００μｍの平均径を有し、粒子の９０％が粒子の平均径の２％以内である径を有している、請求項１に記載の方法。
【請求項２０】  粒子が１から５０μｍの平均径を有し、粒子の９０％が粒子の平均径の１μｍ以内である、請求項１に記載の方法。
【請求項２１】  加速が、第一の流れを加速するための工程であり、振動が第一の流れを振動させるための工程である、請求項１に記載の方法。
【請求項２２】  第一の液体を含む第一の流れを加速し；加速が第一の流れに電荷を印加することを含み、粒子がコア部とシェル部を有する、粒子の形成方法。
【請求項２３】  粒子を固化させることを更に含む、請求項２２に記載の方法。
【請求項２４】  粒子が複数のシェル部を有する、請求項２２に記載の方法。
【請求項２５】  粒子が医薬組成物を含有する、請求項２２に記載の方法。
【請求項２６】  第一の液体をノズルを通過させることによって第一の流れを形成することを更に含み、ノズルが粒子の平均径の少なくとも１／２の径を有している、請求項２２に記載の方法。
【請求項２７】  粒子が大きくとも１００μｍの平均径を有している、請求項２２に記載の方法。
【請求項２８】  粒子が１０ｎｍから５０μｍの平均径を有している、請求項２２に記載の方法。
【請求項２９】  請求項１９に記載の方法によって調製される、粒子。
【請求項３０】  請求項２０に記載の方法によって調製される、粒子。
【請求項３１】  第一の液体を含む第一の流れを、囲撓する液体中に加速し；該第一の流れを振動させて、粒子を形成することを含む、粒子の形成方法。
【請求項３２】  粒子を固化させることを更に含む、請求項３１に記載の方法。
【請求項３３】  粒子がコア部とシェル部を有する、請求項３１に記載の方法。
【請求項３４】  粒子が複数のシェル部を有する、請求項３３に記載の方法。
【請求項３５】  粒子が医薬組成物を含有する、請求項３１に記載の方法。
【請求項３６】  コア部が医薬組成物を含有する、請求項３３に記載の方法。
【請求項３７】  加速が、第一の流れを第二の流れに接触させることを含み、第二の流れが第二の液体を含む、請求項３１に記載の方法。
【請求項３８】  第二の流れが第一の流れを囲撓する、請求項３２に記載の方法。
【請求項３９】  加速が第一の流れに電荷を印加することを含む、請求項３１に記載の方法。
【請求項４０】  第二の流れが第一の流れを囲撓する第二の液体を含み、加速が第二の流れを加速することを更に含む、請求項３９に記載の方法。
【請求項４１】  粒子がコア部とシェル部を有する、請求項４０に記載の方法。
【請求項４２】  粒子が複数のシェル部を有する、請求項４１に記載の方法。
【請求項４３】  第一の液体をノズルを通過させることによって第一の流れを形成することを更に含む、請求項３１に記載の方法。
【請求項４４】  ノズルが粒子の平均径の１／２よりも大なる径を有している、請求項４３に記載の方法。
【請求項４５】  ノズルが少なくとも粒子の平均径を有している、請求項４４に記載の方法。
【請求項４６】  粒子が大きくとも１００μｍの平均径である、請求項３１に記載の方法。
【請求項４７】  粒子が大きくとも５０μｍの平均径である、請求項３１に記載の方法。
【請求項４８】  粒子が１０ｎｍから５０μｍの平均径を有している、請求項４７に記載の方法。
【請求項４９】  粒子が１μｍから５０μｍの平均径を有している、請求項４８に記載の方法。
【請求項５０】  粒子が５０から１００μｍの平均径を有し、粒子の９０％が粒子の平均径の２％以内である径を有している、請求項３１に記載の方法。
【請求項５１】  粒子が１から５０μｍの平均径を有し、粒子の９０％が粒子の平均径の１μｍ以内である、請求項３１に記載の方法。
【請求項５２】  加速が、第一の流れを加速するための工程であり、振動が第一の流れを振動させるための工程である、請求項３１に記載の方法。
【請求項５３】  第一の液体を含む第一の流れを、囲撓する液体中に加速し；加速が第一の流れに電荷を印加することを含み、粒子がコア部とシェル部を有する、粒子の形成方法。
【請求項５４】  粒子を固化させることを更に含む、請求項５３に記載の方法。
【請求項５５】  粒子が複数のシェル部を有する、請求項５３に記載の方法。
【請求項５６】  粒子が医薬組成物を含有する、請求項５３に記載の方法。
【請求項５７】  第一の液体をノズルを通過させることによって第一の流れを形成することを更に含み、ノズルが粒子の平均径の少なくとも１／２の径を有している、請求項５３に記載の方法。
【請求項５８】  粒子が大きくとも１００μｍの平均径を有している、請求項５３に記載の方法。
【請求項５９】  粒子が１０ｎｍから５０μｍの平均径を有している、請求項５３に記載の方法。
【請求項６０】  第一の液体を含む第一の流れを加速し；該第一の流れを振動させて、粒子を形成し；該粒子を固化させることを含み；加速が、第一の流れを第二の流れに接触させることを含む、粒子の形成方法。
【請求項６１】  粒子が医薬組成物を含有する、請求項６０に記載の方法。
【請求項６２】  第二の流れが第二の液体を含む、請求項６０に記載の方法。
【請求項６３】  第二の流れが第一の流れを囲撓する、請求項６２に記載の方法。
【請求項６４】  第二の流れが第二の液体を含み、第一の流れを囲撓し、加速が第二の流れを加速することを更に含む、請求項６０に記載の方法。
【請求項６５】  粒子がコア部とシェル部を有する、請求項６４に記載の方法。
【請求項６６】  コア部が医薬組成物を含有する、請求項６５に記載の方法。
【請求項６７】  粒子が複数のシェル部を有する、請求項６５に記載の方法。
【請求項６８】  第一の液体をノズルを通過させることによって第一の流れを形成することを更に含む、請求項６０に記載の方法。
【請求項６９】  ノズルが粒子の平均径の１／２よりも大なる径を有している、請求項６８に記載の方法。
【請求項７０】  ノズルが少なくとも粒子の平均径を有している、請求項６９に記載の方法。
【請求項７１】  粒子が大きくとも１００μｍの平均径である、請求項６０に記載の方法。
【請求項７２】  粒子が大きくとも５０μｍの平均径である、請求項６０に記載の方法。
【請求項７３】  粒子が１０ｎｍから５０μｍの平均径を有している、請求項７２に記載の方法。
【請求項７４】  粒子が１μｍから５０μｍの平均径を有している、請求項７２に記載の方法。
【請求項７５】  粒子が５０から１００μｍの平均径を有し、粒子の９０％が粒子の平均径の２％以内である径を有している、請求項６０に記載の方法。
【請求項７６】  粒子が１から５０μｍの平均径を有し、粒子の９０％が粒子の平均径の１μｍ以内である、請求項６０に記載の方法。
【請求項７７】  加速が、第一の流れを加速するための工程であり、振動が第一の流れを振動させるための工程である、請求項６０に記載の方法。
【請求項７８】  請求項７５に記載の方法によって調製される、粒子。
【請求項７９】  請求項７６に記載の方法によって調製される、粒子。
【請求項８０】  第一の液体を含む第一の流れを加速し；該第一の流れを振動させて、粒子を形成することを含み、加速が、第一の流れを第二の流れに接触させることを含み、第二の流れが第二の液体を含む、粒子の形成方法。
【請求項８１】  第二の流れが第一の流れを囲撓する、請求項８０に記載の方法。
【請求項８２】  粒子がコア部とシェル部を有する、請求項８０に記載の方法。
【請求項８３】  コア部が液体を含有する、請求項８２に記載の方法。
【請求項８４】  粒子が複数のシェル部を有する、請求項８３に記載の方法。
【請求項８５】  粒子が複数のシェル部を有する、請求項８２に記載の方法。
【請求項８６】  第一の液体をノズルを通過させることによって第一の流れを形成することを更に含む、請求項８０に記載の方法。
【請求項８７】  コア部が液体を含有する、請求項６５に記載の方法。
【請求項８８】  粒子が複数のシェル部を有する、請求項８７に記載の方法。
【請求項８９】  第一の液体を含む第一の流れを加速し；該第一の流れを振動させて、粒子を形成し；該粒子を固化させることを含み；該粒子が医薬組成物を含有する、粒子の形成方法。